(57)【特許請求の範囲】
【請求項１】
第１の筐体に対して第２の筐体がスライド自在に構成された携帯情報端末において、
上記スライドにより上記第１の筐体に対して上記第２の筐体が開状態となったときに露呈する該第２の筐体の平面に配設されたＱＷＥＲＴＹキーボードと、
上記平面の左下方の所定領域に配設された特殊キーと、
複数のアプリケーションを実行する制御手段とを備え、
上記特殊キーは、上記ＱＷＥＲＴＹキーボードを構成するＱＷＥＲＴＹキーに比して縦方向の長さが短い横長の形状となっており、上記平面からの高さがＱＷＥＲＴＹキーボードを構成するＱＷＥＲＴＹキーと異なると共に、所定のアプリケーションの実行中に上記特殊キーが押下されたとき、該アプリケーションに並行して実行されている音楽プレイヤーで再生中の音楽に係るステータスを表示するための指令信号が出力される
ことを特徴とする携帯情報端末。
【請求項２】
上記所定領域とは、ＱＷＥＲＴＹキーボードを構成するＱＷＥＲＴＹキーとして必要最小限のものを残し、他のキーを取り除いた結果、生まれる領域である
ことを特徴とする請求項１に記載の携帯情報端末。
【請求項３】
上記所定領域とは、上記第１の筐体に対して上記第２の筐体をスライドさせて完全に開状態とすることなく操作可能な領域である
ことを特徴とする請求項１に記載の携帯情報端末。
【請求項４】
上記特殊キーは、発光素子によりＱＷＥＲＴＹキーボードを構成するＱＷＥＲＴＹキーと異なる色で照明される
ことを特徴とする請求項１に記載の携帯情報端末。
【発明の詳細な説明】
【技術分野】
【０００１】
本発明は、特殊キーの操作により所定の割込処理が可能な携帯情報端末に関する。
【背景技術】
【０００２】
従来、例えばＰＤＡ(Personal Digital Assistant)等の携帯情報端末では、高度の情報処理が可能となっているが、今日では、例えば音楽や画像等の各種コンテンツを再生することも可能となってきている。そして、これら各種コンテンツは、端末が備える無線通信機能により適宜外部ネットワークを介してダウンロード可能となっている。
【０００３】
このように外部よりダウンロードした各種コンテンツを再生することが多いユーザにとってはキーボードの使用頻度は少ないと言える。その一方、電子メールやチャット等を頻繁に行うユーザにとってはキーボードの使用頻度は高いと言える。このような状況に加えて、携帯情報端末には、小型化の要求がかねてから強いことから、キーボードを配設する場合であっても、端末自体の小型化の要求を満たさなければならない。
【０００４】
このような状況に鑑みて、今日では、使用時にのみ本体から露呈する形態のキーボードを備えた携帯情報端末が開発され、市場に出回っている。即ち、このような携帯情報端末は、例えば、端末本体が２つの筐体で構成されており、一方の筐体が他方の筐体に対して所定方向にスライド自在となっており、該スライドにより開状態となったときに、キーボードが露呈し、使用可能となる。このような構成によれば、端末の小型化の要求を満たしつつキーボードを必要に応じて適宜使用可能とすることができる。
【０００５】
一方、今日では、実装されるプロセッサの高速化、メモリの大容量化等に伴い、複数のアプリケーションを同時に実行することも可能となっている。例えば、ユーザは、携帯情報端末で、ＭＰ３（MPEG Audio Layer-3）等の音楽プレイヤーで所望とする音楽を再生しながら、チャットを楽しむことも可能となっている。このような使用態様下では、キーボードでチャット向けの入力をしつつ、適宜、必要に応じて音楽プレイヤーに対して早送りや早戻り等の指示を与えることが所望される。即ち、所望とするタイミングで所望とする操作に係る割込処理を簡易且つ迅速に行うことが所望されている。
【０００６】
ここで、例えば、特許文献１では、携帯用パーソナルコンピュータがサスペンドモードに移行している場合において、即ち、ＣＰＵの動作が停止された状態において、情報記録媒体の再生の指令が検出されたときは、ＣＰＵに対して割り込み信号を出力し、該ＣＰＵが情報記録媒体の再生を実行する情報処理機構が開示されている。
【０００７】
【特許文献１】特開２００１−２０２１６６号公報
【発明の開示】
【発明が解決しようとする課題】
【０００８】
しかしながら、従来技術のように、スライドにより開状態となったときにキーボードが露呈し使用可能となる構成によれば、前述したように、端末の小型化の要求を満たしつつキーボードを必要に応じて適宜使用可能とすることができるものの、ユーザが所望とする指示を与えるための特殊キーを別途配設する場合には、上記小型化の要求やスライドによる開閉自在の構成をふまえて、その配設位置を工夫する必要がある。
【０００９】
更に、キーボードとしてはＱＷＥＲＴＹキーボードを採用する場合が多いが、該ＱＷＥＲＴＹキーボードの特殊性に鑑みて特殊キーの配設位置を工夫する必要がある。
【００１０】
また、複数のアプリケーションを同時に実行できるようになった現状下では、その実行態様に合わせて、特殊キーに様々な機能を持たせることが望ましい。
【００１１】
そこで、本発明は、ＱＷＥＲＴＹキーボードを採用する場合において、その特殊性と端末自体のスペースの有効利用の観点から、好適な位置に複数の機能を持つ特殊キーを配設することで、ユーザの多様なニーズに対応することを課題とする。
【課題を解決するための手段】
【００１２】
本発明の第１の観点による携帯情報端末は、第１の筐体に対して第２の筐体がスライド自在に構成された携帯情報端末において、スライドにより第１の筐体に対して第２の筐体が開状態となったときに露呈する該第２の筐体の平面に配設されたＱＷＥＲＴＹキーボードと、該平面の左下方の所定領域に配設された特殊キーと、複数のアプリケーションを実行する制御手段とを備え、上記特殊キーは、上記ＱＷＥＲＴＹキーボードを構成するＱＷＥＲＴＹキーに比して縦方向の長さが短い横長の形状となっており、上記平面からの高さがＱＷＥＲＴＹキーボードを構成するＱＷＥＲＴＹキーと異なると共に、所定のアプリケーションの実行中に上記特殊キーが押下されたとき、該アプリケーションに並行して実行されている音楽プレイヤーで再生中の音楽に係るステータスを表示するための指令信号が出力されるようにしたものである。
【００１３】
従って、特殊キーの操作性が向上される。
【００１４】
尚、上記記所定領域を、ＱＷＥＲＴＹキーボードを構成するＱＷＥＲＴＹキーとして必要最小限のものを残し、他のキーを取り除いた結果、生まれる領域としてもよい。あるいは、上記所定領域を、上記第１の筐体に対して上記第２の筐体をスライドさせて完全に開状態とすることなく操作可能な領域としてもよい。また、上記特殊キーを、発光素子によりＱＷＥＲＴＹキーボードを構成するＱＷＥＲＴＹキーと異なる色で照明されるようにしてもよい。このほか、複数のアプリケーションを実行する制御手段を備え、上記特殊キーを、上記制御手段により実行されたアプリケーションに連動して、押下されたときに出力する指令信号の種別が変化するように構成してもよい。
【発明の効果】
【００１９】
本発明によれば、ＱＷＥＲＴＹキーボードを採用する場合において、その特殊性と端末自体のスペースの有効利用の観点から、好適な位置に複数の機能を持つ特殊キーを配設することで、ユーザの多様なニーズに対応する携帯情報端末を提供することができる。また、ユーザは、特殊キーを押下するだけで、例えばＲｓｓ／Ｐｏｄｃａｓｔ等所定のアプリケーションと並行して実行されている音楽プレイヤーによって再生されている音楽に係るステータス、例えば曲名を簡易且つ迅速に確認することができる。
【発明を実施するための最良の形態】
【００２０】
以下、図面を参照して、本発明を実施するための最良の形態（以下、単に実施の形態と称する）について、比較例とともに、詳細に説明する。
【００２１】
図１には本発明の第１の比較例に係る携帯情報端末の構成図を示し説明する。
【００２２】
この図１に示されるように、携帯情報端末１は、第１の筐体２に対して第２の筐体３が図１に矢印Ｘで示す方向にスライド可能、即ち開閉自在に構成されている。
【００２３】
この第１の筐体２の平面７には、ＬＣＤ（Liquid Crystal Display）とタッチパネルとが一体化されたタッチスクリーン８、及び電源釦９が配設されている。
【００２４】
そして、このスライド動作に伴う携帯情報端末１の状態の遷移は、例えば図２（ａ）乃至（ｃ）に示される通りである。即ち、より詳細には、図２（ａ）は端末１の閉状態、図２（ｂ）は端末１の一部開状態、図２（ｃ）は端末１の開状態の様子を示している。
【００２５】
携帯情報端末１の第２の筐体３の開状態時に露呈する平面４には、所謂ＱＷＥＲＴＹ配列のキーボードが配設されている（以下、「ＱＷＥＲＴＹキーボード」と称する）。該平面４の領域５には、特殊キー６（６ａ，６ｂ，６ｃ）が配設されている。
【００２６】
尚、以下では、ＱＷＥＲＴＹキーとＥｎｔｅｒやＳｈｉｆｔ等の他のキーを含めてＱＷＥＲＴＹキーボードが構成されているとの前提の下で、説明を進める。
【００２７】
例えば、音楽プレイヤーにより音楽が再生されている場合には、この特殊キー６ａは早戻し、特殊キー６ｂは再生／一時停止、特殊キー６ｃは早送りの各指示を行うためのキーとしての役割を担うことになる。この他、詳細は後述するが、特殊キー６は、ステータスの表示に係る割込処理を指示するためのキーとしても機能する。
【００２８】
ここで、第１の比較例に係る携帯情報端末１では、第１の筐体２に対して第２の筐体３がスライド可能な構成下、特殊キー６の配設位置に以下の工夫がなされている。
【００２９】
１．特殊キー６の操作し易さの観点からの工夫
即ち、日常的にパーソナルコンピュータ等を使用しているユーザにとっては、ＱＷＥＲＴＹ配列が一般化しているので、該配列を崩すことはできない。かかる状況下で、ＱＷＥＲＴＹ配列を採用しているＱＷＥＲＴＹキーボードのキーのうち、携帯情報端末の使用実情に鑑みて必要最小限のものを残し、他の排除した上で、空いたスペースに特殊キー６を配設することとした。この例では、「ＣＴＲＬ」、「ＡＬＴ」、「無変換」等のキーが、必要最小限との観点からは携帯情報端末には不要であることに鑑み、それらキーを排除することで生まれる領域５に特殊キー６を配設している。
【００３０】
２．スライドによる開閉自在な構成に鑑みた工夫
例えば、音楽プレイヤー等を起動して音楽を再生しているような状況下では、ＱＷＥＲＴＹキーボードの操作入力は必ずしも必要ないことから、閉状態で操作可能とするのが好ましい。一方、複数のアプリケーションを実行することが可能な端末１の場合、例えばチャットの書き込みをしながら、適宜、音楽を早送りするなどの操作が可能となることが求められる。そこで、スライドによる開閉自在の構成下、これら双方の使用態様に合致するように、第２の筐体３の平面４の左下の領域５に特殊キー６を配設した。
【００３１】
この領域５に特殊キー６を配設した場合、開状態下（図１，図２（ｃ）参照）では、例えばチャットへの書き込みをＱＷＥＲＴＹキーボードの操作により行いつつ、必要に応じて、特殊キー６の操作により、並行して実行している音楽プレイヤーに対して早戻しや早送り等の指令も行うことができる。また、一部開状態下（図２（ｂ）参照）であっても特殊キー６の操作が行うことができるので、例えば、鞄やスーツの内ポケットに携帯情報端末１を収めている場合において、音楽の早送りや早戻しを指令するときでも、完全に第１の筐体２に対して第２の筐体３をスライドして開状態とすることなく、一部開状態下で該指令を簡易且つ迅速に行うことが可能となる。
【００３２】
３．その他の工夫
以上のほか、領域５に横一列に配設された特殊キー６の形状を、他のキーと異なる形状とすることで、黙視することなく他のキーと識別可能となるように構成してもよい。この図１の例では、縦方向の幅を他のキーよりも短くした細長い形状を採用し、他のキーとの差別化を図っているが、このような形状には限定されない。
【００３３】
また、第２の筐体３の平面４から突出する高さを他のキーと異なる高さとしたり、発光素子等のバックライトを採用することで、特殊キー６のみ異なる色により発光するようにしたり、そのクリック感を他のキーと異なるようにしてもよい。
【００３４】
従って、特殊キー６をユーザの操作性の観点からも好適な位置に配設することができると共に、視覚的な配慮をすることで誤操作を防止する工夫を付加することができる。さらに、携帯情報端末という小型化が所望される製品において、従前の各種機能を損なうことなく、そのスペースを十二分に有効活用することができる。
【００３５】
次に、図３には、本発明の第１の比較例に係る携帯情報端末１の内部構成を示し説明する。この図３に示されるように、全体の制御を司るＣＰＵ（Central Processing Unit）１１は、制御バス１２を開始してＲＯＭ(Read Only Memory)１３、ＲＡＭ(Random Access Memory)１４、ＨＤ(Hard Disc)１５と通信自在に接続されている。このＲＯＭ１３には、制御プログラムが予め記憶されており、ＣＰＵ１１は、該制御プログラムを読み出し、実行する。このとき、ＲＡＭ１４はワークエリアとして機能する。ＨＤ１５には例えば音楽や画像等の各種コンテンツ等のデータが格納されている。尚、このＨＤ１５に代えてフラッシュメモリを採用することも可能である。
【００３６】
ＣＰＵ１１は、制御バス１２を介して、記録メディア１７に対する書き込み／読み出しを制御するメディアドライバ１６、無線通信モジュール１９からの通信データをシリアル／パラレル変換等して出力する通信Ｉ／Ｆ１８、マイクロフォン２０からの音声入力及びスピーカ２１を介しての音声出力を制御する音声入出力部２２、ＱＷＥＲＴＹキーボード２３の操作キーに対応する信号を出力するキーＩ／Ｆ２４とも接続されている。
【００３７】
さらに、ＣＰＵ１１は、制御バス１２を介して、撮像部３２で撮像された映像信号に対して所定の画像処理を施す画像処理部３３とも接続されている。
【００３８】
また、ＣＰＵ１１は、制御バス１２を介して、ＬＣＤ２５を駆動制御するＬＣＤドライバ２６、タッチパネル２７が操作された場合に信号を出力するタッチパネルコントローラ２８とも通信自在に接続されている。これらＬＣＤ２５とタッチパネル２７とによりタッチスクリーン８が構成されている。この他、バッテリ２９を有する電源回路３０からの電力は、電源供給回路３１により各部に供給されるように構成されている。
【００３９】
このような構成において、電源釦９がオンされると、電源回路３０から電源供給回路３１を介して各部に電力が供給される。すると、ＣＰＵ１１は、ＲＯＭ１３の制御プログラムを読み出し、実行することで各部の制御を開始する。即ち、ＣＰＵ１１は、ＬＣＤドライバ２６を介してＬＣＤ２５を駆動制御して、メニュー画面（初期画面）を該ＬＣＤ２５に表示する。このメニュー画面は、例えば図４（ａ）に示される。
【００４０】
即ち、このＬＣＤ２５に表示されたメニュー画面１００では、ＲＳＳ／Ｐｏｄｃａｓｔにより配信されたコンテンツを閲覧する「ＲＳＳ／Ｐｏｄｃａｓｔ」、電子メールの配信やチャット等を行う「Ｃｏｍｍｕｎｉｃａｔｉｏｎ」、音楽を再生する「Ｍｕｓｉｃ」、画像を再生する「Ｐｈｏｔｏ」、動画コンテンツを再生する「Ｖｉｄｅｏ」、写真撮影を行う「Ｃａｍｅｒａ」、テキスト入力を行う「Ｔｅｘｔ」、他のツールを実行する「Ｔｏｏｌｓ」より所望とするアプリケーションを選択できることができる。
【００４１】
そして、例えば、タッチパネル２７の操作により「Ｍｕｓｉｃ」がタップされ選択されると、図４（ｂ）に示される画面１０１が表示される。
【００４２】
即ち、この画面１０１の左領域１０１ａには曲名（タイトル）が選択自在に列挙されており、右領域１０１ｂにはタップされ選択された曲名に対応する楽曲の詳細（曲名、アーティスト名、アルバム名、ジャケットのイメージ）が表示される。更に、左領域１０１ｂの下方には、早戻しを指示するための釦１０１ｃ、再生／一時停止を指示するための釦１０１ｄ、早送りを指示するための釦１０１ｅが表示される。そして、左領域１０１ｂの表示を全画面表示に移行させるための釦１０１ｆも表示される。
【００４３】
図４（ｂ）の画面１０１において、タッチパネル２７の操作により釦１０１ｆがタップされ選択されると、図４（ｃ）に示される画面１０２に移行する。
【００４４】
即ち、この画面１０２では、楽曲の詳細（曲名、アーティスト名、アルバム名、ジャケットのイメージ）が拡大表示（画面１０１ｂの右領域１０１ｂの略全画面表示）がなされる。更に、画面１０２では、早戻しを指示するための釦１０２ａ、再生／一時停止を指示するための釦１０２ｂ、早送りを指示するための釦１０２ｃが表示される。
【００４５】
以上の画面１００乃至１０２により所望とする曲名が選択され、再生指示されると、ＣＰＵ１１の制御の下、音声入出力部２２を介してスピーカ２１より音楽が出力されることになる。このとき、画面１０１の釦１０１ｃ、１０１ｄ、１０１ｅ又は画面１０２の釦１０２ａ、１０２ｂ、１０２ｃによる指示を、前述した特殊キー（図１の符号６（６ａ，６ｂ，６ｃ））により行うことが可能となっている。
【００４６】
タッチパネル２７の操作により、画面１００にて「Ｐｈｏｔｏ」がタップされると、ＨＤ１５又は記録メディア１７に記録された静止画データの再生が可能となる。ＣＰＵ１１は、ＪＰＥＧ（Joint Photographic Coding Experts Group）などにより圧縮符号化されている静止画データをＨＤ１５又は記録メディア１７より読み出し、ソフトウェア処理により復号した後、ＬＣＤドライバ２６によりＬＣＤ２５を駆動制御して、動画を再生することになる。また、画面１００にて「Ｖｉｄｅｏ」がタップされると、ＨＤ１５又は記録メディア１７に記録された動画データの再生が可能となる。ＣＰＵ１１は、ＭＰＥＧ（Motion Picture Experts Group）などにより圧縮符号化されている動画データをＨＤ１５又は記録メディア１７より読み出し、ソフトウェア処理により復号した後、ＬＣＤドライバ２６によりＬＣＤ２５を駆動制御して、動画を再生することになる。
【００４７】
さらに、タッチパネル２７の操作により、画面１００にて「Ｃａｍｅｒａ」がタップされると、撮像部３２による被写体の撮像が可能となる。画像処理部３３は、この撮像部３２による撮像により得られた映像信号に所定の画像処理が施し、画像データとして出力する。ＣＰＵ１１は、ソフトウェア処理により該画像データにＪＰＥＧ等の圧縮符号化を行った後、ＨＤ１５に記録し、又はメディアドライバ１６を介して記録メディア１７に記録することになる。また、タッチパネル２７の操作により、画面１００にて「Ｔｅｘｔ」がタップされると、ＬＣＤ２５にテキスト入力画面が表示され、ＱＷＥＲＴＹキーボード２３の操作によるテキスト入力が可能となる。
【００４８】
一方、タッチパネル２７の操作により「ＲＳＳ／Ｐｏｄｃａｓｔ」がタップされるとＲＳＳ／Ｐｏｄｃａｓｔの閲覧画面がＬＣＤ２５に表示され、更新されたコンテンツのタイトルなどを適宜選択して閲覧することが可能となる。
【００４９】
ここで、「ＲＳＳ」とは、Ｗｅｂサイトの見出しや要約などのメタデータを構造化して記述するＸＭＬベースのフォーマットをいうが、主にＷｅｂサイトの更新情報を公開するのに使われている。ＲＳＳで記述された文書には、Ｗｅｂサイトの各ページのタイトルやアドレス、見出し、要約、更新時刻などを記述することができる。この携帯情報端末１では、ＲＳＳでフィードから配信された登録したＷｅｂサイトの更新情報を無線通信モジュール１９にて自動受信し、ＨＤ１５に格納するので、タッチパネル２７の操作により、ＲＳＳ／Ｐｏｄｃａｓｔの閲覧画面にて所望とするコンテンツのタイトルをタップして選択することで、該コンテンツを適宜閲覧することができる。
【００５０】
「Ｐｏｄｃａｓｔ」とは、所謂ネットラジオを自動的に録音して、収集した放送を所望とするときに聴取可能とするシステムをいう。この携帯情報端末１では、所望とするネットラジオ局のアドレスを登録し、最新の放送内容が公開される度に無線通信モジュール１９により自動受信し、ＨＤ１５に格納するので、ユーザは、タッチパネル２７の操作により、ＲＳＳ／Ｐｏｄｃａｓｔの閲覧画面にて所望とするコンテンツのタイトルをタップして選択することで、適宜視聴することが可能となる。
【００５１】
一方、タッチパネル２７の操作により「Ｃｏｍｍｕｎｉｃａｔｉｏｎ」がタップされ選択されると、チャットやＳｋｙｐｅ等が可能となる。この場合、ＱＷＥＲＴＹキーボード２３の操作により例えばＩＤ／ＰＡＳＳの入力やチャット送信メッセージの入力、詳細は後述するムードメッセージの入力等が可能となる。
【００５２】
以上の選択により、静止画、動画の再生、テキスト入力、ＲＳＳ／Ｐｏｄｃａｓｔの更新情報の閲覧の最中であっても、特殊キー（図１の符号６）の操作により、楽曲の早戻し、再生／一時停止、早送りが適宜可能となる。
【００５３】
以上説明したように、本発明の第１の比較例によれば、第１の筐体２に対して第２の筐体３がスライド自在に構成された携帯情報端末１において、上記スライドにより上記第１の筐体２に対して上記第２の筐体３が開状態となったときに露呈する該第２の筐体３の平面４にＱＷＥＲＴＹキーボードと特殊キー６とが配設される。より詳細には、この特殊キー６は、ＱＷＥＲＴＹキーボードを構成するＱＷＥＲＴＹキーとして必要最小限のものを残し、他のキーを取り除いた結果、生まれる領域５に配設されてよい。
【００５４】
従って、第１の比較例によれば、小型化の要求の高い携帯情報端末において、スペースの有効活用を図りつつユーザの利便性を向上させることが可能となる。
【００５５】
この領域５に配設される結果、第１の筐体２に対して上記第２の筐体３をスライドさせて完全に開状態とすることなく特殊キー６が操作可能となる。
【００５６】
従って、ユーザの操作性、特に移動中等における操作性が向上されることになる。
【００５７】
更に、この特殊キー６は、ＱＷＥＲＴＹキーボードを構成するＱＷＥＲＴＹキーに比して縦方向の長さが短い横長の形状となっていてもよく、或いは上記平面４からの高さがＱＷＥＲＴＹキーボードを構成するＱＷＥＲＴＹキーと異なるようにしてもよい。このほか、特殊キー６は、ＬＥＤ等の発光素子によるバックライトでＱＷＥＲＴＹキーボードを構成するＱＷＥＲＴＹキーと異なる色で照明されるようにしてもよい。
【００５８】
このような工夫によれば、他のキーとの識別性が高まり、操作性が向上される。
【００５９】
次に本発明の第２の比較例について説明する。
【００６０】
従来、例えば、音声通話ソフトであるＳｋｙｐｅでは、ムードメッセージを表示することが可能となっている。この場合、アカウント名が表示されている釦をクリックするとムードメッセージの入力欄が表示され、所望とするムードメッセージを入力することができる。この第２の実施の形態に係る携帯情報端末は、Ｓｋｙｐｅに限らず、予め定められた所定のアプリケーションが実行されている場合に、ムードメッセージとして、再生されている楽曲の登録されたタイトル等を表示可能とすることを特徴とするものである。
【００６１】
図５には、本発明の第２の比較例に係る携帯情報端末の特徴的な処理を実行する構成の概念図を示し説明する。図５に示されるように、ＣＰＵ１１は、制御プログラム５０を実行することで、アプリケーション識別機能５０ａ、表示制御機能５０ｂ、ムードメッセージ表示制御機能５０ｃ、主制御機能５０ｄを奏する。すなわち、ＣＰＵ１１が各機能５０ａ乃至５０ｄを奏するとき、例えばアプリケーション識別手段、表示制御手段、ムードメッセージ表示制御手段、主制御手段としての役割を果たすことになる。
【００６２】
以下、図６のフローチャートを参照しつつ、特徴的な処理について述べる。
【００６３】
ＣＰＵ１１は、アプリケーションを実行すると（ステップＳ１）、アプリケーション識別機能５０ａにより実行されたアプリケーションを識別する（ステップＳ２）。このアプリケーションの実行に伴い、ＬＣＤ２５には画面１０３が表示される。
【００６４】
例えば、図５に示されるように、この画面１０３の左領域１０３ａにはチャットのメンバー一覧が表示され、右領域１０３ｂにはチャットの進行が表示される。
【００６５】
より詳細には、図７に示されるように、画面１０３の左領域１０３ａには、メンバー１，メンバー２・・・の如く登録されたチャットのメンバーが一覧表示され、右領域１０３ｂには、書き込みをしたメンバーの識別、並びに書き込み内容が時系列に表示される。
【００６６】
続いて、ＣＰＵ１１は、主制御機能５０ｄにより、例えば所定のアプリケーションであるチャットに係るアプリケーションが実行されたか否かを判断する（ステップＳ３）。
【００６７】
ここで、チャットに係るアプリケーションが実行されていなければ（ステップＳ３をＮｏに分岐）、ステップＳ５に移行し、一方、チャットに係るアプリケーションが実行されていれば（ステップＳ３をＹｅｓに分岐）、ムードメッセージ表示制御機能５０ｃによりムードメッセージをＬＣＤ２５に表示することとなる（ステップＳ４）。
【００６８】
例えば、図５の例では、画面１０３のムードメッセージ表示領域１０３ｃにムードメッセージが表示される。より詳細には、図７に示される通りであり、ムードメッセージ表示領域１０３ｃには、ユーザの識別とムードメッセージが合わせて表示される。
【００６９】
ここでは、チャットのアプリケーションと並行して音楽プレイヤーによる音楽の再生が行われている状況を想定しているので、「ムードメッセージ」としては、再生中の音楽に係る登録された曲名（タイトル）が表示されることになる。尚、この図７に示されるように、メンバーの名かでムードメッセージを表示することを許可した者については、その者のムードメッセージが領域１０３ａにおいて併せて表示される。
【００７０】
こうして、ＣＰＵ１１は、主制御機能５０ｄにより、アプリケーションの終了を検知したか否かを判断し（ステップＳ５）、該アプリケーションの終了を検知すると（ステップＳ５をＹｅｓに分岐）、一連の処理を終了することになる。
【００７１】
以上の一例の処理の過程において、再生中の音楽が早送りされるなどして曲名が変更された場合には、割込処理によりムードメッセージの表示が更新される。これは、ＱＷＥＲＴＹキーボードの特殊キー（図１の符号６）の操作により再生中の音楽が早戻し、再生／一時停止、早送りされた場合も同様である。
【００７２】
以上説明したように、本発明の第２の比較例によれば、ＣＰＵ１１が制御プログラム５０を実行することにより、アプリケーション識別機能５０ａにより音楽プレイヤーに係るアプリケーションと所定のアプリケーション（例えば、チャットに係るアプリケーション等）とが並行して実行されたものと識別されたときには、ムードメッセージ表示制御機能５０ｃによりムードメッセージとして上記音楽プレイヤーにより再生されている音楽に係る登録された曲名をＬＣＤ５に少なくとも表示することができる。
【００７３】
従って、ユーザは例えばチャットを楽しみながら、自己が再生している楽曲のタイトルを適宜確認できると共に、それをムードメッセージとしてチャットメンバーにお互いに知らせることができるので、よりコミュニケーションが円滑化される。
【００７４】
次に本発明の実施の形態について説明する。
【００７５】
本発明の実施の形態は、所定のアプリケーションの実行中に特殊キー（図１の符号６に相当）が押下された場合には、該アプリケーションと並行して実行されている音楽プレイヤーで再生中の音楽に係る登録された曲名（タイトル）等、つまり音楽プレイヤーの再生等の「ステータス」を表示することを特徴とするものである。以下、詳述する。
【００７６】
図８には、本発明の実施の形態に係る携帯情報端末の特徴的な処理を実行する構成の概念図を示し説明する。ＣＰＵ１１は、制御プログラム５１を実行することで、アプリケーション識別機能５１ａ、表示制御機能５１ｂ、キー操作検出機能５１ｃ、ステータス表示制御機能５１ｄ、主制御機能５１ｅを奏する。即ち、ＣＰＵ１１が各機能５１ａ乃至５１ｅを奏するとき、例えばアプリケーション識別手段、表示制御手段、キー操作検出手段、ステータス表示制御手段、主制御手段としての役割を果たすことになる。
【００７７】
以下、図９のフローチャートを参照しつつ、特徴的な処理について述べる。
【００７８】
ＣＰＵ１１は、アプリケーションを実行すると（ステップＳ１１）、アプリケーション識別機能５１ａにより実行されたアプリケーションを識別する（ステップＳ１２）。このアプリケーションの実行に伴い、ＬＣＤ２５には画面１０４が表示される。
【００７９】
例えば、ＲＳＳ／Ｐｏｄｃａｓｔのアプリケーションが実行された場合、ＣＰＵ１１の表示制御機能５１ｂにより、図５に示される画面１０４がＬＣＤ２５に表示される。この画面１０４の左領域１０４ａにはＲＳＳ／Ｐｏｄｃａｓｔの登録されたフィード一覧が表示され、右領域１０４ｂには配信された記事等のタイトル一覧が表示される。
【００８０】
より詳細には、図１０（ａ）に示されるように、画面１０４の左領域１０４ａには、フィード１，フィード２・・・の如く登録されたフィードが一覧表示され、右領域１０４ｂには、左領域１０４ａにてタップされ選択されたフィードに係る配信された記事等のタイトルがタイトル１，タイトル２・・・のように表示される。このほか、マーク１０４ｃは、配信された記事等のコンテンツのうち、未読のコンテンツの数を示しており、マーク１０４ｄは未読のコンテンツが存在しないことを意味している。そして、マーク１０４ｅは、該タイトルのコンテンツが未読である旨を示している。
【００８１】
続いて、ＣＰＵ１１は、主制御機能５０ｄにより、例えば所定のアプリケーションであるＲＳＳ／Ｐｏｄｃａｓｔに係るアプリケーションが実行されたか否かを判断する（ステップＳ１３）。ここで、該ＲＳＳ／Ｐｏｄｃａｓｔに係るアプリケーションが実行されていなければ（ステップＳ１３をＮｏに分岐）、ステップＳ１８に移行し、一方、ＲＳＳ／Ｐｏｄｃａｓｔに係るアプリケーションが実行されていれば（ステップＳ１３をＹｅｓに分岐）、ＣＰＵ１１は、キー操作検出機能５１ｃにより、特殊キー（図１の符号６に相当）の操作を検出したか否かを判断する（ステップＳ１４）。
【００８２】
ここで、特殊キーの操作を検出しないものと判断した場合は、ステップＳ１８に移行する。一方、特殊キーの操作を検出したものと判断した場合は、ステータス表示制御機能５１ｄによりステータスを表示し（ステップＳ１５）、所定時間の経過が検出されるまで（ステップＳ１６）、該ステータスを表示し、所定時間を経過すると（ステップＳ１６をＹｅｓに分岐）、ステータスを消去する（ステップＳ１７）。
【００８３】
例えば、図８の例では、画面１０５のステータス表示領域１０５ｃにステータスが表示される。より詳細には、図１０（ｂ）に示される通りであり、ステータス表示領域１０５ｃには、再生中の音楽に係る登録された曲名（タイトル）が表示される。
【００８４】
このとき、前述した画面１０４と同様に、画面１０５の左領域１０５ａにはフィード１，フィード２・・・の如く登録されたフィードが一覧表示され、右領域１０５ｂには左領域１０５ａにてタップされ選択されたフィードに係る配信された記事等のタイトルがタイトル１，タイトル２・・・のように表示されていることは勿論である。
【００８５】
こうして、ＣＰＵ１１は、主制御機能５０ｄにより、アプリケーションの終了を検知したか否かを判断し（ステップＳ１８）、該アプリケーションの終了を検知しなければ（ステップＳ１８をＮｏに分岐）、上記ステップＳ１４に戻り上記処理を繰り返し、一方、該アプリケーションの終了を検知すると（ステップＳ１８をＹｅｓに分岐）、一連の処理を終了することになる。
【００８６】
以上説明したように、本発明の実施の形態によれば、コンテンツの閲覧が可能な携帯情報端末において、ＣＰＵ１１が制御プログラム５１を実行することで、アプリケーション識別５１ａにより音楽プレイヤーに係るアプリケーションと所定のアプリケーション（例えば、Ｒｓｓ／Ｐｏｄｃａｓｔ等）とが並行して実行されたものと識別された場合において、キー操作検出機能５１ｃにより特殊キーの操作が検出されたときには、ステータス表示制御機能５１ｄによりステータスとして音楽プレイヤーにより再生されている音楽に係る登録された曲名をＬＣＤ２５に表示することができる。従って、所定のアプリケーション、例えばＲｓｓ／Ｐｏｄｃａｓｔ等のアプリケーションを実行している際に、特殊キー（図１の符号６）を適宜押下することで、音楽プレイヤーで再生中の音楽の曲名をステータスとして簡易且つ迅速に確認することが可能となる。
【００８７】
以上、本発明の実施の形態について説明したが、本発明はこれに限定されることなくその趣旨を逸脱しない範囲で種々の改良・変更が可能であることは勿論である。
【００８８】
例えば、Ｗｅｂ閲覧中に特殊キーを操作することで、閲覧するコンテンツを適宜変更（戻し／閲覧／送り）することも可能である。更に、本発明の実施の形態は、動画表示装置や静止画を閲覧する装置にも適用可能であることは勿論である。
【図面の簡単な説明】
【００８９】
【図１】本発明の第１の比較例に係る携帯情報端末の構成図。
【図２】（ａ）乃至（ｃ）はスライド動作に伴う携帯情報端末１の状態遷移図。
【図３】本発明の第１の比較例に係る携帯情報端末１の内部構成図。
【図４】（ａ）はメニュー画面を示す図、（ｂ）は音楽プレイヤーの各種操作画面を示す図、（ｃ）は再生中の音楽のアナウンス画面を示す図。
【図５】本発明の第２の比較例に係る携帯情報端末の特徴的な処理を実行する構成の概念図。
【図６】本発明の第２の比較例に係る携帯情報端末の特徴的な処理を説明するフローチャート。
【図７】チャットに係るアプリケーション起動時に表示される操作画面を示す図。
【図８】本発明の実施の形態に係る携帯情報端末の特徴的な処理を実行する構成の概念図。
【図９】本発明の実施の形態に係る携帯情報端末の特徴的な処理を説明するフローチャート。
【図１０】（ａ）及び（ｂ）は、Ｒｓｓ／Ｐｏｄｃａｓｔに係るアプリケーション起動時に表示される操作画面を示す図。
【符号の説明】
【００９０】
１…携帯情報端末、２…第１の筐体、３…第２の筐体、４…平面、５…領域、６…特殊キー、７…平面、８…タッチスクリーン、９…電源釦、１１…ＣＰＵ（制御手段）、１２…制御バス、１３…ＲＯＭ、１４…ＲＡＭ、１５…ＨＤ、１６…メディアドライバ、１７…記録メディア、１８…通信Ｉ／Ｆ、１９…無線通信モジュール、２０…マイクロフォン、２１…スピーカ、２２…音声入出力制御部、２３…ＱＷＥＲＴＹキーボード、２４…キーＩ／Ｆ、２５…ＬＣＤ、２６…ＬＣＤドライバ、２７…タッチパネル、２８…タッチパネルコントローラ、２９…バッテリ、３０…電源回路、３１…電源供給回路
【図１】
0004457318.tif 000002
【図２】
0004457318.tif 000003
【図３】
0004457318.tif 000004
【図４】
0004457318.tif 000005
【図５】
0004457318.tif 000006
【図６】
0004457318.tif 000007
【図７】
0004457318.tif 000008
【図８】
0004457318.tif 000009
【図９】
0004457318.tif 000010
【図１０】
0004457318.tif 000011